(57)【要約】【課題】輝度の調節が可能で、且つ、高輝度を実現し、光度分布が均一で長寿命の画像表示装置を提供する。【解決手段】画像表示装置は、液晶表示部と、前記液晶表示部の表示面と相対する裏面に面して設けられ、前面で前記液晶表示部の裏面に面すると共に、前記前面と対向する底面に反射シートを有し、前記前面及び前記底面と垂直な側端面から入射した光を前記底面の前記反射シートで反射して前記前面側に導く導光板と、前記導光板の前記側端面に対向する発光面から前記側端面に対して光照射するＬＥＤ素子と、を備え、前記ＬＥＤ素子は、前記導光板の前記前面と前記底面との間の中間面に対して、前記ＬＥＤ素子の発光面の中心軸が、前記導光板の前記底面側又は前記前面側のいずれかにずれて配置されている。【選択図】図２
2009244861.tif 000002
【特許請求の範囲】
【請求項１】
液晶表示部と、
前記液晶表示部の表示面と相対する裏面に面して設けられ、前面で前記液晶表示部の裏面に面すると共に、前記前面と対向する底面に反射シートを有し、前記前面及び前記底面と垂直な側端面から入射した光を前記底面の前記反射シートで反射して前記前面側に導く導光板と、
前記導光板の前記側端面に対向する発光面から前記側端面に対して光照射するＬＥＤ素子と、
を備え、
前記ＬＥＤ素子は、前記導光板の前記前面と前記底面との間の中間面に対して、前記ＬＥＤ素子の発光面の中心軸が、前記導光板の前記底面側又は前記前面側のいずれかにずれて配置されている、画像表示装置。
【請求項２】
前記ＬＥＤ素子は、前記導光板の前記前面と前記底面との間の中間面に対して、前記ＬＥＤ素子の発光面の前記導光板の厚さ方向の両端部が、前記導光板の前記底面側に含まれるように配置されている、請求項１に記載の画像表示装置。
【請求項３】
前記ＬＥＤ素子は、前記導光板の前記前面と前記底面との間の中間面に対して、前記ＬＥＤ素子の発光面の前記導光板の厚さ方向の両端部が、前記導光板の前記前面側に含まれるように配置されている、請求項１に記載の画像表示装置。
【請求項４】
前記ＬＥＤ素子は、
前記導光板の前記前面と前記底面との間の中間面に対して、前記ＬＥＤ素子の発光面の前記導光板の厚さ方向の両端部が、前記導光板の前記前面側に含まれるように配置された上段ＬＥＤ素子と、
前記導光板の前記前面と前記底面との間の中間面に対して、前記ＬＥＤ素子の発光面の前記導光板の厚さ方向の両端部が、前記導光板の前記底面側に含まれるように配置された下段ＬＥＤ素子と、
を有することを特徴とする請求項１に記載の画像表示装置。
【請求項５】
前記導光板の厚さ方向からみて、前記上段ＬＥＤ素子と、前記下段ＬＥＤ素子とは、交互に配置されていることを特徴とする請求項４に記載の画像表示装置。
【請求項６】
前記導光板の前記側端面に向かって開口する開口部を有する放熱板をさらに備え、
前記上段ＬＥＤ素子と前記下段ＬＥＤ素子とは、前記放熱板の前記開口部に配置されていることを特徴とする請求項４又は５に記載の画像表示装置。
【請求項７】
前記導光板は、分散配置された前方散乱粒子を含むことを特徴とする請求項１に記載の画像表示装置。
【請求項８】
前記導光板は、前記液晶表示部の裏面と対向する前記前面側の間にプリズムシートを設けたことを特徴とする請求項１に記載の画像表示装置。
【発明の詳細な説明】
【技術分野】
【０００１】
本発明は、バックライト光源を備えた画像表示装置に関するものであり、特に、バックライト光源としてＬＥＤ素子を備えた画像表示装置に関する。
【背景技術】
【０００２】
近年の画像表示装置では、液晶を用いたものが主流であり、ガラス上にＴＦＴを形成し液晶を封じ込んだ液晶パネルに対し、その背面に設置されたバックライトから照射された光を透過させて画像を表示している。それ故、明るく美しい高品質画像を得ようとすると、バックライトは明るく、且つ、面上で均一でなければならない。
【０００３】
従来、このような液晶パネルを用いた画像表示装置のバックライトの光源には、冷陰極管が用いられて来たが、近年の技術的な進歩によってＬＥＤ素子の効率と輝度が著しく向上し、冷陰極管並の効率と輝度が得られるようになってきた。そのために、特に、小型の液晶表示装置のバックライト光源としてＬＥＤ素子が用いられるようになってきた。
【０００４】
しかしながら、冷陰極が線状に発光するのに対して、ＬＥＤ素子の場合は点状に発光する。そのために、バックライト光源としてＬＥＤ素子を用いる場合、冷陰極管と同等の照度を得ようとすると、低出力のＬＥＤ素子を多数用いるか、もしくは高出力のＬＥＤ素子を用いて光の分散を効率的に行う必要がある。
【０００５】
このような、点光源としてのＬＥＤ素子をバックライト光源として用いる例が多く開示されており、特に発光面の光度分布を均一にする例（例えば、特許文献１、２参照。）や、ＬＥＤ素子からの発生熱を放熱させて温度上昇を抑える例（例えば、特許文献３参照。）などが開示されている。
【０００６】
【特許文献１】特開２００５−２８５５７１号公報
【特許文献２】特開２００５−７９０３８号公報
【特許文献３】特開２００６−２１６２４４号公報
【発明の開示】
【発明が解決しようとする課題】
【０００７】
しかしながら、近年、光源としてのＬＥＤ素子は小型化と高出力化が進展している。一方で、これらの画像表示装置を用いた情報処理装置なども小型化あるいは携帯化が進み、外部での使用などに際しての耐衝撃性、耐振動性や、屋内、屋外でも使用可能なように、輝度のダイナミックレンジの広がりなどが要求されてきている。
【０００８】
耐衝撃性や耐振動性を確保するためには、バックライト光源部を構成する導光板として、従来のように厚みを厚くして剛性を高めることや、現行の冷陰極管を用いたバックライト光源部の基本構造を用いることなどが要求される。一方で、このような条件で、小型のＬＥＤ素子を導光板の中間面とＬＥＤ素子の中心軸とを合致させるために、ＬＥＤ素子基板に段差部を設けると、段差部によって放熱が阻害されるなどの課題が発生する。
【０００９】
そこで、本発明の目的は、このような課題を解決して、輝度の調節が可能で、且つ、高輝度を実現し、光度分布が均一で長寿命の画像表示装置を提供することである。
【課題を解決するための手段】
【００１０】
上記の目的を達成するために、本発明に係る画像表示装置は、液晶表示部と、
前記液晶表示部の表示面と相対する裏面に面して設けられ、前面で前記液晶表示部の裏面に面すると共に、前記前面と対向する底面に反射シートを有し、前記前面及び前記底面と垂直な側端面から入射した光を前記底面の前記反射シートで反射して前記前面側に導く導光板と、
前記導光板の前記側端面に対向する発光面から前記側端面に対して光照射するＬＥＤ素子と、
を備え、
前記ＬＥＤ素子は、前記導光板の前記前面と前記底面との間の中間面を含む平面に対して、前記ＬＥＤ素子の発光面の中心軸が、前記導光板の前記底面側又は前記前面側のいずれかにずれて配置されている。
【００１１】
上記の構成によれば、厚みを有して剛性を有する導光板を用いて耐衝撃性、耐振動性を有する画像表示装置を実現することができる。
【００１２】
また、前記ＬＥＤ素子は、前記導光板の前記前面と前記底面との間の中間面を含む平面に対して、前記ＬＥＤ素子の発光面の前記導光板の厚さ方向の両端部が、前記導光板の前記底面側に含まれるように配置されていてもよい。
【００１３】
上記の構成によれば、ＬＥＤ素子の光照射の中心軸と反射シートとの距離が短くなっているために、導光板の端部において、反射シートで反射して導光板から射出される光と導光板を通過する光との間隔が短くなり、液晶パネル部に均一に光を入射させるための導光板端部領域長さを短くすることができる。そのため、画像表示装置の額縁部を小さくし画像表示装置として全体に小さくすることができる。
【００１４】
さらに、前記ＬＥＤ素子は、前記導光板の前記前面と前記底面との間の中間面を含む平面に対して、前記ＬＥＤ素子の発光面の前記導光板の厚さ方向の両端部が、前記導光板の前記前面側に含まれるように配置されていてもよい。
【００１５】
またさらに、前記ＬＥＤ素子は、
前記導光板の前記前面と前記底面との間の中間面を含む平面に対して、前記ＬＥＤ素子の発光面の前記導光板の厚さ方向の両端部が、前記導光板の前記前面側に含まれるように配置された上段ＬＥＤ素子と、
前記導光板の前記前面と前記底面との間の中間面を含む平面に対して、前記ＬＥＤ素子の発光面の前記導光板の厚さ方向の両端部が、前記導光板の前記底面側に含まれるように配置された下段ＬＥＤ素子と、
を有してもよい。
【００１６】
上記の構成によれば、ＬＥＤ素子を多数配置することができる。また、それぞれのＬＥＤ素子への入力を制御して、輝度の調節が可能で、且つ、高輝度を実現する画像表示装置を提供できる。
【００１７】
また、前記導光板の厚さ方向からみて、前記上段ＬＥＤ素子と、前記下段ＬＥＤ素子とは、交互に配置されていてもよい。
【００１８】
上記の構成によれば、上段ＬＥＤ素子と下段ＬＥＤ素子とのそれぞれのＬＥＤ素子から出射される光によって端部に発生する光の重畳による明暗現象を解消し、均一な光度分布の画像表示装置を実現することができる。
【００１９】
さらに、前記導光板の前記側端面に向かって開口する開口部を有する放熱板をさらに備えてもよい。この場合、前記上段ＬＥＤ素子と前記下段ＬＥＤ素子とは、前記放熱板の前記開口部に配置されていることが好ましい。
【００２０】
上記の構成によれば、上段ＬＥＤ素子と下段ＬＥＤ素子とのそれぞれのＬＥＤ素子から発生する熱を効果的に放熱させることができ、各ＬＥＤ素子への入力を容易に制御できる。
【００２１】
またさらに、前記導光板は、分散配置された前方散乱粒子を含んでもよい。
【００２２】
また、前記導光板は、前記液晶表示部の裏面と対向する前記前面側の間にプリズムシートを設けてもよい。
【発明の効果】
【００２３】
以上のように、本発明の画像表示装置によれば、輝度の調節が可能で、且つ、高輝度を実現し、光度分布が均一で耐衝撃性を有した携帯型に好適な画像表示装置を実現することを目的としている。
【発明を実施するための最良の形態】
【００２４】
以下、本発明の実施の形態に係る画像表示装置について、添付図面を参照しながら説明する。なお、図面において実質的に同一の部材には同一の符号を付している。
【００２５】
（実施の形態１）
図１は、本発明の実施の形態１に係る画像表示装置の概略を示す斜視図であり、図２は、図１のＡ−Ａ線の部分断面図である。図１に示すように、画像表示装置１００は、周縁部が樹脂製の筐体１０１で囲われ、その内部に液晶パネル１０２が設置されている。また、図２に示すように、液晶パネル１０２は、液晶表示部と、バックライト光源部とにより構成されている。液晶表示部は、前面ガラス基板１０３と、背面ガラス基板１０４と、前面ガラス基板１０３と背面ガラス基板１０４との間に配置された液晶本体部２１２と、前面ガラス基板１０３の上に設けられた射出側偏光板２１１と、背面ガラス基板１０４の上に設けられた入射側偏光板２１３とを備える。さらに、バックライト光源部は、液晶表示部の裏面に配置された導光板２２３と、液晶表示部の短辺方向片側の側端部に配置され、導光板２２３の側端面に光照射する光源となるＬＥＤ素子２２１と、により構成されている。導光板２２３は、ＬＥＤ素子２２１から放出される白色光２２２を前面側の液晶表示部２１０に導く。また、導光板２２３は、背面に設置された反射シート２２４と、導光板２２３の前面に配置されたプリズムシート２２５とを備える。また、導光板２２３内には前方散乱粒子２２６が分散配置されている。
【００２６】
まず、導光板２２３の機能について説明する。
バックライト光源部のＬＥＤ素子２２１から出射した白色光２２２は、そのままでは、液晶表示部を均一に光らせることができない。そのため、白色光２２２は導光板２２３の側端面に導かれ、導光板２２３の底面に設置された反射シート２２４によって、面上で均一に反射し、プリズムシート２２５で液晶表示部の裏面に対してほぼ垂直な光となって入射する。液晶表示部に入射した光は、入射側偏光板２１３によって偏光されて、液晶本体部２１２の内部に封入された液晶のねじれ角に応じた偏光となって出射する。出射光は、射出側偏光板２１１によって部分的に遮られ、画面上に出てくる光量が変化して画素毎の階調が決められる。この導光板２２３の厚みＤ２は、およそ０．６ｍｍ〜３．５ｍｍの範囲が好ましく、ここではおよそ３ｍｍのものを用いた。
【００２７】
次に、画像表示装置１００のバックライト光源部のＬＥＤ素子２２１が配置された端部領域の詳細な構成について説明する。本発明の実施の形態１においては、図２に示すように、ＬＥＤ素子２２１は、導光板２２３の裏面に設置された反射シート２２４の基板２２７と同一面に設けた絶縁板２２８に接合されている。一方、絶縁板２２８には熱伝導性の良好な材料、例えばアルミニウム、銅などの金属材料などによって形成された放熱板２２９が、熱伝導性の両面接着剤２３０などを介して接合されている。また、放熱板２２９はＬ字形状などに加工され、その表面に放熱フィン２３１が設けられている。さらに、液晶パネル１０２、ＬＥＤ素子２２１、放熱板２２９などが前面側の筐体１０１ａと底面側の筐体１０１ｂとで構成される筐体１０１内に配置されて画像表示装置１００を構成している。なお、各部材の材料は上記した材料に限られず、通常使用できるものであれば用いることができる。
【００２８】
図２に示すように、ＬＥＤ素子２２１の厚みは、導光板２２３の厚みＤ２よりも小さくなるように構成している。なお、ＬＥＤ素子２２１の発光面Ｂは、およそ、縦方向（導光板の厚さ方向）が０．５ｍｍ〜３．０ｍｍの範囲、横方向（水平方向）が１．５ｍｍ〜４．０ｍｍの範囲がそれぞれ好ましい。ここでは、ＬＥＤ素子２２１として、発光面Ｂは、縦方向０．８ｍｍ、横方向２．４ｍｍのものを用いた。
【００２９】
図３は、特に、導光板２２３の側端面に対するＬＥＤ素子２２１の配置を示す概略断面図である。ＬＥＤ素子２２１は、導光板２２３の前面と底面との間の中間面Ａ２に対して、ＬＥＤ素子２２１の発光面Ｂの中心軸Ａ１が、導光板２２３の中間面Ａ２よりも反射シート２２４に近い底面側にずらして配置されている。さらに、ＬＥＤ素子２２１の発光面Ｂの中心軸Ａ１が中間面Ａ２から導光板２２３の厚さの１／４以上ずれていることが好ましい。
さらに、具体的には、上記に加えて、図３に示すように、ＬＥＤ素子２２１は、導光板２２３の前面と底面との間の中間面Ａ２に対して、ＬＥＤ素子２２１の発光面Ｂの導光板２２３の厚さ方向の両端部が、導光板２２３の底面側に含まれるように配置されていることがより好ましい。
【００３０】
図４（ａ）は、導光板２２３の前面と底面との間の中間面Ａ２に対して、ＬＥＤ素子２２１の発光面Ｂの中心軸Ａ１を中間面Ａ２に合わせた場合の導光板２２３内の光路を示す概略断面図である。図４（ｂ）は、ＬＥＤ素子２２１の発光面Ｂの中心軸Ａ１を中間面Ａ２より底面側にずらした場合の導光板２２３内の光路を示す概略断面図である。図４（ｃ）は、ＬＥＤ素子２２１の発光面Ｂの中心軸Ａ１を中間面Ａ２より前面側にずらした場合の光路を示す概略断面図である。
【００３１】
図４（ａ）に示すように、ＬＥＤ素子２２１の発光面Ｂの中心軸Ａ１を中間面Ａ２に合わせた場合には、底面の反射シート２２４を反射した反射光は端部から距離Ｌで前面側に出射する。一方、図４（ｂ）に示すように、ＬＥＤ素子２２１の発光面の中心軸Ａ１を底面側にずらした場合、底面の反射シート２２４を反射した反射光は端部から距離Ｌ１で前面側に出射する。上記のように、導光板２２３の厚さ方向で底面側にＬＥＤ素子２２１を配置することによって、底面の反射シート２２４で反射して前面側から出射する距離をより短くできる。これによって、前面側で筐体１０１ａによって液晶表示部２１０の端部を覆う距離を短くできる。なお、図４（ｃ）に示すように、ＬＥＤ素子２２１の発光面の中心軸Ａ１を前面側にずらした場合、底面の反射シート２２４を反射した反射光は端部から距離Ｌ２で前面側に出射する。
【００３２】
導光板２２３に入射した光は、導光板２２３を通過する間に前方散乱粒子２２６によって散乱されるが、導光板２２３への入射端部近傍では光が拡散しにくく直進する。したがって、図４（ａ）〜（ｃ）に示すように、ＬＥＤ素子２２１からの出射角が同じ場合には、ＬＥＤ素子２２１から出射し、導光板２２３の側端面から入射した光が、底面の反射シート２２４を反射して導光板２２３の前面側から出射する距離Ｌ、Ｌ１、Ｌ２は、Ｌ１＜Ｌ＜Ｌ２となる。つまり、ＬＥＤ素子２２１の発光面Ｂの中心軸Ａ１を導光板２２３の中間面Ａ２よりも反射シート２２４に近い底面側にずらした方が、底面の反射シート２２４を反射して導光板２２３の前面側から出射する距離を短くできる。
【００３３】
したがって、導光板２２３の端部において、液晶表示部２１０に均一に光を入射させるための導光板２２３の端部領域Ｈの長さを短くすることができ、画像表示装置１００の額縁部を小さくし画像表示装置１００を全体に小さくできる。
【００３４】
また、この場合には、導光板２２３の厚みを薄くする必要もない。そのために、バックライト光源部の剛性を確保することができ、耐衝撃性、耐振動性を有する画像表示装置を実現できる。さらに、ＬＥＤ素子２２１として、より小さなＬＥＤ素子を用いることができるため、画像表示装置１００の導光板２２３の長辺方向に画像表示サイズ当たりに多数のＬＥＤ素子を配列することができる。そのため、個々のＬＥＤ素子への入力を低減して輝度を確保することができる。また、その場合には、ここのＬＥＤ素子の入力の可変範囲を大きく取れ、屋内、屋外でも使用可能なように、輝度のダイナミックレンジを広くすることも可能となる。
【００３５】
（実施の形態２）
図５は、本発明の実施の形態２に係る画像表示装置のバックライト光源部の構成を示す部分断面図である。実施の形態２に係る画像表示装置は、実施の形態１で述べた画像表示装置１００と基本構成は同様であるが、実施の形態１とはＬＥＤ素子の配列が異なっている。すなわち、本発明の実施の形態２では、図４に示すように、ＬＥＤ素子２２１は、導光板２２３の前面と底面との間の中間面Ａ２に対して、ＬＥＤ素子２２１の発光面Ｂの導光板２２３の厚さ方向の両端部が、導光板２２３の前面側に含まれるように配置されている点で相違する。
【００３６】
実施の形態２に係る画像表示装置では、ＬＥＤ素子２２１を導光板２２３の前面側に設けているので、底面側の反射シート２２４で反射して前面に出射するまでの光路長が長くなる。このため、反射シート２２４で反射されたあと前面に出射するまでの光拡散効果が大きくなり、明領域と暗領域とが生じることによる、いわゆる明暗現象（蛍現象）を解消する効果が得られる。
【００３７】
（実施の形態３）
図６は、本発明の実施の形態３に係る画像表示装置のバックライト光源部の構成を示す部分断面図である。実施の形態３に係る画像表示装置は、実施の形態１で述べた画像表示装置１００と基本構成は同様であるが、実施の形態１とはＬＥＤ素子の配列が異なっている。すなわち、本発明の実施の形態３では、図６に示すように、導光板２２３の厚み方向に対してＬＥＤ素子２２１として、上段ＬＥＤ素子２２１ａと下段ＬＥＤ素子２２１ｂの２段配置としている。この場合、上段ＬＥＤ素子２２１ａと下段ＬＥＤ素子２２１ｂの光照射の発光面Ｂの中心軸Ａ１は、導光板２２３の厚み方向の中間面Ａ２とずれている。さらに、具体的には、上段ＬＥＤ素子２２１ａは、導光板２２３の前面と底面との間の中間面Ａ２に対して、ＬＥＤ素子２２１ａの発光面Ｂの導光板２２３の厚さ方向の両端部が、導光板２２３の前面側に含まれるように配置されている。下段ＬＥＤ素子２２１ｂは、導光板２２３の前面と底面との間の中間面Ａ２に対して、ＬＥＤ素子２２１ｂの発光面Ｂの導光板２２３の厚さ方向の両端部が、導光板２２３の底面側に含まれるように配置されている。
【００３８】
さらに、本発明の実施の形態３においては、図６に示すように、下段ＬＥＤ素子２２１ｂは、導光板２２３の背面に設置された反射シート２２４の基板２２７と同一面に設けた絶縁板２２８に接合されており、上段ＬＥＤ素子２２１ａは絶縁板２２８ａに接合されている。これらの絶縁板２２８ａ、２２８ｂは、コの字形状として開口部２４０を有する放熱板２３２の、開口部２４０側に熱伝導性の両面接着剤２３０ａ、２３０ｂを介して接合している。放熱板２３２は、熱伝導性の良好な材料、例えばアルミニウム、銅などの金属材料などによって形成され、コの字形状の垂直部２３２ｂには放熱フィン２３４が設けられている。
【００３９】
このように、本発明の実施の形態３では、導光板２２３の端面に対するＬＥＤ素子２２１の配列を、導光板２２３の厚み方向に上下２段の配列としている。したがって、本発明の実施の形態３によれば、一つの導光板２２３に対して、従来に比べてＬＥＤ素子を多数配列することができる。
【００４０】
例えば、従来は１０．４インチの表示サイズの液晶パネルに対して、短辺側にＬＥＤ素子を３６個配置し、画面輝度を最大で２５０ｃｄ／ｍｍ２程度としていた。しかし、本発明の実施の形態３によれば、ＬＥＤ素子２２１として、小さく、かつ出力効率の高いＬＥＤ素子を用いて、上段ＬＥＤ素子２２１ａ、下段ＬＥＤ素子２２１ｂとしてそれぞれ６０個配列することが可能となる。この場合、上段ＬＥＤ素子２２１ａ、あるいは下段ＬＥＤ素子２２１ｂだけで最大１０００ｃｄ／ｍｍ２の輝度を実現できる。さらに、上段ＬＥＤ素子２２１ａと下段ＬＥＤ素子２２１ｂとの同時使用によれば最大２０００ｃｄ／ｍｍ２の輝度を実現できる。
【００４１】
したがって、本発明の実施の形態３によれば、個々のＬＥＤ素子２２１ａ、２２１ｂへの入力を制御したり、上段ＬＥＤ素子２２１ａと下段ＬＥＤ素子２２１ｂとをそれぞれ制御したり、あるいはこれらを組み合わせて制御することによって、極めて輝度のダイナミックレンジが広い画像表示装置を実現できる。そのため、これらの画像表示装置を搭載した情報処理装置を、屋内や屋外の明るさの環境に合わせて自由に使用できる。また、極めて汎用性が高くポータビリティ性を高めた情報処理装置を実現できる。
【００４２】
また、本発明の実施の形態３では、ＬＥＤ素子２２１からの発熱を放熱する放熱板として、コの字形状の放熱板２３２を用い、その開口部２４０に上段ＬＥＤ素子２２１ａ、下段ＬＥＤ素子２２１ｂを配置するようにしている。さらに、放熱板２３２の垂直部２３２ｂには外部との放熱面積を増加させる放熱フィン２３４を設けている。そのために、それぞれのＬＥＤ素子から発生する熱を効果的に放熱させることができ放熱板２３２を一体で形成して、それぞれのＬＥＤ素子の冷却効率を高めることができる。
【００４３】
（実施の形態４）
図７（ａ）は、本発明の実施の形態４における画像表示装置のバックライト光源部のＬＥＤ素子２２１の配列を示す概略平面図である。図７（ａ）では、上段ＬＥＤ素子２２１ａと、上段ＬＥＤ素子２２１ａから出射して導光板２２３に入射する入射光２５０を実線で示している。一方、下段ＬＥＤ素子２２１ｂと、下段ＬＥＤ素子２２１ｂから出射して導光板２２３に入射する入射光２５１を破線で示している。一方、図７（ｂ）は、画像表示装置のバックライト光源部のＬＥＤ素子を同一面内で一列に配置した構成を示す平面図である。図７（ａ）に示すように、実施の形態４に係る画像表示装置では、ＬＥＤ素子２２１は、導光板２２３の厚さ方向からみて、上段ＬＥＤ素子２２１ａと、下段ＬＥＤ素子２２１ｂとを交互に配置している。また、導光板２２３の側端面から見ると、上段ＬＥＤ素子２２１ａと下段ＬＥＤ素子２２１ｂとをジグザグ配置している。
【００４４】
実施の形態１で述べたように、導光板２２３に入射した光は、導光板２２３を通過する間に前方散乱粒子２２６によって散乱されるが、導光板２２３への入射端部近傍では光が拡散しにくく直進する。そのため、図７（ｂ）に示すように、ＬＥＤ素子２２１を同一面内で一列のみで配列した場合には、導光板２２３への入射端部近傍で光度分布に明領域Ｅと暗領域Ｆとが発生する明暗現象（蛍現象）が発生する。すなわち、隣り合うＬＥＤ素子２２１からの光が重畳される部分ではそれ以外の領域よりも明るくなる明領域Ｅが発生する。
【００４５】
このような明暗現象は、導光板２２３の端部から所定距離だけ離れた領域では、導光板２２３内に分散配置された前方散乱粒子２２６によって光が拡散するため発生しなくなる。したがって、画像表示装置の有効表示領域に明暗現象が発生する領域が入らないように、画像表示装置１００の額縁部長さを上記所定距離だけ長くする必要がある。この額縁部長さが長くなると、それだけ有効表示領域が狭くなってしまう。
【００４６】
一方、図７（ａ）に示すように、本発明の実施の形態４では、導光板２２３の平面に対して、上段ＬＥＤ素子２２１ａと下段ＬＥＤ素子２２１ｂとが交互になるように配置している。そのため、上段ＬＥＤ素子２２１ａからの入射光２５０と、下段ＬＥＤ素子２２１ｂからの入射光２５１とがそれぞれ重畳されると共に、光拡散効果によって全ての領域で明るい状態となり、明暗現象（蛍現象）の発生を抑制することができる。
【００４７】
したがって、光の重畳による明暗現象を解消して、均一な光度分布の画像表示装置を実現し、画像表示装置の額縁部長さも短くすることができる。
【産業上の利用可能性】
【００４８】
本発明に係る画像表示装置は、輝度の調節が可能で、且つ、高輝度、長寿命、小型の画像表示装置を実現し、携帯型の情報処理装置用の画像表示装置として有用である。
【図面の簡単な説明】
【００４９】
【図１】本発明の実施の形態１に係る画像表示装置の構成を示す概略斜視図である。
【図２】図１におけるＡ−Ａ線の部分断面図である。
【図３】本発明の実施の形態１に係る画像表示装置のバックライト光源部のＬＥＤ素子の導光板に対する配置を示す概略断面図である。
【図４】（ａ）は、ＬＥＤ素子の発光面の中心軸と導光板の中間面とを一致させた場合に、ＬＥＤ素子から導光板に入射した光の光路を示す概略断面図であり、（ｂ）は、ＬＥＤ素子の発光面の中心軸を導光板の中間面より底面側にずらした場合のＬＥＤ素子から導光板に入射した光の光路を示す概略断面図であり、（ｃ）は、ＬＥＤ素子の発光面の中心軸を導光板の中間面より前面側にずらした場合のＬＥＤ素子から導光板に入射した光の光路を示す概略断面図である。
【図５】本発明の実施の形態２に係る画像表示装置の端部の構成を示す概略断面図である。
【図６】本発明の実施の形態３に係る画像表示装置の端部の構成を示す概略断面図である。
【図７】（ａ）は、本発明の実施の形態４に係る画像表示装置のバックライト光源部のＬＥＤ素子の配置を示す概略平面図であり、（ｂ）は、ＬＥＤ素子を同一平面内で一列に配置した場合の概略平面図である。
【符号の説明】
【００５０】
１００  画像表示装置
１０１  筐体
１０２  液晶パネル
１０３  前面ガラス基板
１０４  背面ガラス基板
２１０  液晶表示部
２１１  射出側偏光板
２１２  液晶本体部
２１３  入射側偏光板
２２０  バックライト光源部
２２１  ＬＥＤ素子
２２１ａ  上段ＬＥＤ素子
２２１ｂ  下段ＬＥＤ素子
２２２  白色光
２２３  導光板
２２４  反射シート
２２５  プリズムシート
２２６  前方散乱粒子
２２７  基板
２２８，２２８ａ，２２８ｂ  絶縁板
２２９，２３２  放熱板
２３０，２３０ａ，２３０ｂ  両面接着剤
２３１，２３４  放熱フィン
２３２ｂ  垂直部
２４０  開口部
２５０，２５１  入射光
【図１】
2009244861.tif 000003
【図２】
2009244861.tif 000004
【図３】
2009244861.tif 000005
【図４】
2009244861.tif 000006
【図５】
2009244861.tif 000007
【図６】
2009244861.tif 000008
【図７】
2009244861.tif 000009